(57)【要約】【課題】本発明は、光学シートに設けられた所定の画像と光学シートの背面の像や物体とが混濁することなく、鮮明な画像を得る光学シートを提供することを課題とするものである。【解決手段】  第１面２にほぼ等しいピッチで配置された複数のレンズ４ａを有する透明シート１と、前記透明シートの第２面３に、前記レンズのピッチに対応した所定の間隔で画像層５が設けられた光学シート１０において、前記画像層５の、前記透明シートの反対面に遮光層１７を形成し、この遮光層１７の周縁は画像層５の周縁よりも僅かに外側に位置させることを特徴とする光学シートである。【選択図】  図５
2007155947.tif 000002
【特許請求の範囲】
【請求項１】
第１面にほぼ等しいピッチで配置された複数のレンズを有する透明シートと、前記透明シートの第２面に、前記レンズのピッチに対応して所定の間隔を空けて画像層が設けられた光学シートにおいて、
前記画像層の、前記透明シートと反対側の面に遮光層を設け、この遮光層の周縁は前記画像層の周縁の僅かに外側に位置させたことを特徴とする光学シート。
【請求項２】
前記遮光層が光吸収層または、拡散反射層、鏡面反射層、または再帰反射層、あるいは、それらの複合層からなることを特徴とする請求項１又は請求項２に記載の光学シート。
【請求項３】
第１面にほぼ等しいピッチで配置された複数のレンズを有する透明シートと、前記透明シートの第２面に、前記のレンズのピッチに対応して画像層が所定の間隔を空けて設けられた光学シートにおいて、
前記光学シートの第２面の前記画像層を設けていない部分の少なくとも一部に反射層を有することを特徴とする光学シート。
【請求項４】
第１面にほぼ等しいピッチで配置された複数のレンズを有する透明シートと、前記透明シートの第２面に、前記のレンズのピッチに対応して画像層が所定の間隔を空けて設けられた光学シートにおいて、
前記光学シートの第２面の前記画像層を設けていない部分の少なくとも一部及び画像層の前記透明シートと反対側の面の少なくとも一部に反射層を有することを特徴とする光学シート。
【発明の詳細な説明】
【技術分野】
【０００１】
本発明は、観察する角度によりシートの第２面に表された画像を三次元画像として又は変化して観察することのできる光学シートに関するものである。
【背景技術】
【０００２】
従来、平面画像を三次元画像として視認するために、あるいは、観察する角度によって異なる画像を観察できる手法にレンチキュラーレンズを有する光学シートが知られている。これは、例えば、図１（ａ）のように、ポリエステルなどの透明樹脂層表面の第１面２に、凸条をなす微細レンズ４ａを平行に多数設けたレンチキュラーレンズ４を有した透明シート１の裏面（第２面）３に各レンズの位置に対応させて間隔６を空けて画像５を設けて光学シート１０としたものである。この画像は、このレンズシートの裏面に印刷などの方法を用いて直接設けても良いし、別途印刷されたシートをこのレンズシ−ト裏面に近接させて設置してもよい。このとき、画像を人間の左右の目の視差に合わせて分解した画像にしておくことにより、レンズシートの表面（第１面）側から観察したとき、三次元画像が視認できるし、また、画像として複数種の画像（絵柄）を分解して設けることにより、観察角度によって異なる画像（絵柄）を視認することができるものである。そして、この光学シートは郵便用のカード類やポスター、容器などに用いられている。
【０００３】
さらに、このような光学シートを容器などに応用する場合、容器の中身を視認できるために、上記画像の一部を透明にしておく、または、画像を設けないことが、以下の文献にて提案されている。
【特許文献１】特開平７−１６０２１２号公報
【特許文献２】特開２００５−７４７１９号公報
【０００４】
さらに、図１（ｂ）に示すように、レンチキュラーレンズの上部を平坦部７とし、その平坦部に対応する部分６に画像を設けないことが、以下の文献に記されている。
【特許文献３】米国特許５，６４２，２２６号公報
【特許文献４】米国特許６，０８４，７１３号公報
【特許文献５】米国特許６，２５６，１５０Ｂ１号公報
【０００５】
しかし、これらの提案の光学シートを実際に用いた場合、画像のコントラストが低く不鮮明で、観察した場合に光学シートの背面の像や立体物と混濁してしまい、実用的でなかった。例えば、レンチキュラーレンズシートの裏面の画像として、任意の図柄や写真などをレンズシートのピッチに合わせて一部を除いて印刷しておき、さらにその裏面に人物の写真などを近接させて設置し、観察したときに、当該画像と人物写真が、観察方向によって変化するという応用例の場合に、画像と写真像とが混濁し、あるいは、画像が鮮明でなくなるということがおきた。
【０００６】
また、上記光学シートを容器に応用した場合は、光学シートと内容物との間に空間が生ずることから、画像は透過光として視認されることになり、鮮明さはさらに低下し、内容物との混濁現象は著しくなる。この現象は、上記光学シートを壁材や床材、棚材などに用いた場合も同様である。
【０００７】
さらに、図２に示すように、画像層５の、前記透明シートと反対側の面に遮光層１７を設けることが以下の特許文献に記載されている。
【特許文献６】登録実用新案３０５８６６２号公報
【０００８】
しかしながら、上記特許文献には、画像層５の光透過性の材料で被覆することが記されているのみであり、画像層５と遮光層１７の幅１６に関してはなんら記載がなかった。発明者らは、図２に示すように画像層５と遮光層１７の幅を一致させ、光学シートを実際に作成したところ、上記に述べた混濁現象の低減効果は小さかった。
【０００９】
さらに、従来の技術では、光学シートの裏側に置かれた物体の像を透過光として視認することはできるが、光学シートの前面の物体の像を反射光として視認する方法についてはなんら開示されていなかった。
【発明の開示】
【発明が解決しようとする課題】
【００１０】
このように、従来技術では、図１（ａ）および図１（（ｂ）に示すように、画像層５の、画像層５の背面に遮光層は設けられていない。または、設けられていても、画像層５の幅に対する遮光層の幅に関してはなんら知見はなく、結果として、光学シート１０の背面の像と上記画像層の画像とが混濁し、非常に見づらいものだった。さらに、従来の技術では、光学シートの前面の物体の像を反射光として視認することはできなかった。
【００１１】
本発明は、斯かる実情に鑑み、光学シートに設けられた所定の画像と光学シートの背面の像や物体とが混濁することなく、鮮明な画像を得る光学シートを提供することを課題とするものである。さらに、本発明は、光学シートの前面の物体の像を反射光として視認することができる光学シートを提供することを課題とする。さらに、この光学シートを用いた各種製品を提供することを目的とする。
【課題を解決するための手段】
【００１２】
請求項1の発明は、第１面にほぼ等しいピッチで配置された複数のレンズを有する透明シートと、前記透明シートの第２面に、前記レンズのピッチに対応した所定の間隔で画像層が設けられた光学シートにおいて、前記画像層の、前記透明シートの反対面に遮光層を形成し、この遮光層の周縁は画像層の周縁よりも僅かに外側に位置させることを特徴とする光学シートである。
前記レンズは、複数の凸条レンズが併設されたレンチキュラーレンズが代表的であるが、これに限られるものではない。図２０に示す二次元レンズも使用可能である。
前記遮光層は、シートに表された画像がシートの背面側の画像や物体などと混濁することを防止するためのものであり、その構成は光吸収層または、拡散反射層、鏡面反射層、または再帰反射層、あるいは、それらの複合層などとすることができる（請求項２）。
遮光層の周縁を画像層の周縁よりも僅かに外側に位置させる構成とする目的は、特定の画像が観察できる角度で観察したときに、画像の明度・コントラストを上げることにある。また副次的に複数に分割された画像の分割境界部分における混濁を防止する目的もある。前者の目的のためには、遮光層の周縁がシートに表された絵柄自体の周縁より外側にあればよい。他方後者の効果を得るためには、遮光層は絵柄自体の周縁の外側にあることでは足りず、画像が表示される帯状又は方形状の部分の周縁より外側にあることが必要である。本発明における「画像層の周縁」とは絵柄自体の周縁の意味と、画像が表示される帯状又は方形状の部分、すなわち絵柄自体と周囲の透明部分を含んだ意味の双方を含むものである。
前記画像層の画像は、所望の画像を通常の手法により、レンズシートのピッチに合わせて分解した画像を用いる。この画像は1種類でもよいが、二種類の画像を用意すると、観察する角度により二種類の画像を切り替えて観察することができる。
【００１３】
請求項３の発明は、第１面にほぼ等しいピッチで配置された複数のレンズを有する透明シートと、前記透明シートの第２面に、前記のレンズのピッチに対応して所定の間隔を空けて画像層が設けられた光学シートにおいて、前記光学シートの第２面の前記画像層を設けていない部分の少なくとも一部に反射層を有することを特徴とする光学シートである。
そして、請求項４の発明は前記反射層を画像層のシートの反対面にも形成したものである。
【００１４】
遮光層１７の幅５０（Ｌｗ、図５参照）と画像層５の幅１６（Ｌｐ、図５参照）比すなわち、Ｌｗ／Ｌｐが画質に与える影響の実験結果の一例を、図３と図４に示す。これらは、実施例１（図５）の構造（平面部を有しないレンズ形状の場合）において、ピッチ１２（Ｐ）＝約３４０μｍ、レンズの半径（ｒ）＝約１８０μｍ、厚さ１５（ｄ）＝約５００μｍのポリエステルシートにおいて、レンズ同士の境界部に、所定の内容を表示する画像層５を、その幅１６（Ｌｐ）を変え設置し、さらに遮光層１７をその幅５０（Ｌｗ）を変えた場合の実験結果である。
【００１５】
図３に、、画像層５の幅１６（Ｌｐ）と遮光層１７の幅５０（Ｌｗ）の関係を変えたときの相対コントラストの実験結果を示す。ここで、画像５の相対コントラストとは、画像５を紙の上に印刷した場合のコントラストを１とし、図５の構成におけるコントラストを相対的に表したものである。
図３においては、代表的な３つの条件、すなわち、Ｌｐ＝１００μｍ（Ｌｐ／Ｐ＝０．２９）、Ｌｐ＝１２０μｍ（Ｌｐ／Ｐ＝０．３５）、Ｌｐ＝２２０μｍ（Ｌｐ／Ｐ＝０．６５）μｍの場合の実験結果を示している。本発明における、画像５の相対コントラスの低下現象は、画像５の透過率が低いことに起因しているが、図３から分かるとおり、画像５の相対コントラストは、遮光層１７の幅５０（Ｌｗ）と画像層の幅１６（Ｌｐ）の比により一意的に表されることが判明した。そして、画像５の相対コントラストは、Ｌｗ／Ｌｐ＝１の場合は小さく、Ｌｗ／Ｌｐが１．０５以上の場合、すなわち、Ｌｗが１．０５Ｌｐ以上の場合に、急激に大きくなることが判明した。（Ｌｐ＝１００μｍの場合は、両側における遮光層のはみ出し幅が各２．５μｍ以上、Ｌｐ＝１２０μｍの場合は、両側における遮光層のはみ出し幅が各３μｍ以上、Ｌｐ＝２２０μｍの場合は、両側における遮光層のはみ出し幅が各６．５μｍ以上の場合に相当している。)
一方、図４に、画像層５の幅１６（Ｌｐ）と遮光層１７の幅５０（Ｌｗ）の関係を変えたときの、背面の像１１の相対コントラストの実験結果を示す。ここで、背面の像１１の相対コントラストとは、背面の像１１（ここでは紙の上に印刷されている）のコントラストを光学シート１０を介せず、直接測定した場合のコントラストを１とし、図５の構成（光学シ−ト１０を介した）におけるコントラストを相対的に表したものである。
本発明において、画像を層５の背面に遮光層がある場合の背面の像１１のコントラスト低下現象は、画像層の間隔部６への遮光層１７のはみ出しにより、背面の像１１が影響を受けることに起因していると考えられ、図４は、画像層５からの遮光層のはみ出し量（Ｌｗ−Ｌｐ）と画像層の間隔部６の幅２２（Ｐ−Ｌｐ）の比を横軸として表してある。
図４からわかるとおり、背面の像１１のコントラスとは、（Ｌｗ−Ｌｐ）と（Ｐ−Ｌｗ）の比で表されることが判明した。そして、図４から分かるとおり、背面の像１１の相対コントラストは、（Ｌｗ−Ｌｐ）／（Ｐ−Ｌｗ）が０．６より大きいとき、すなわち、Ｌｗが（Ｌｐ＋０．６Ｐ）／１．６より大きい場合に、急激に低下することがわかった。この条件は、Ｌｐ＝１００μｍの場合は両側における遮光層のはみ出し幅が各４６．５μｍより大きい、Ｌｐ＝１２０μｍの場合は両側における遮光層のはみ出し幅が各４３μｍより大きい、Ｌｐ＝２２０μｍの場合は両側における遮光層のはみ出し幅が各２３μｍより大きい場合に相当している。)なお、（Ｌｗ−Ｌｐ）／（Ｐ−Ｌｗ）が負の領域は、遮光層の幅が画像層の幅より小さい場合に相当している。
【００１６】
上記の結果を総合すると、この発明において、画像層５と背面の像１１の両方が良好なコンントラストで得られる条件として、遮光層１７の幅５０（Ｌｗ）について、Ｌｗが１．０５以上、望ましくは１．１５以上、かつＬｗが（Ｌｐ＋０．６Ｐ）／１．６以下の場合が適当ということが導きだされた。
【００１７】
前記各発明における透明シートの第２面に粘着層を設けたり、この粘着層を再剥離性を有するものとしたり、更に粘着層の粘着面の少なくとも一部に離形紙を層着したりすることにより、使用上の便利性が向上する。
前記離形紙は複数枚の離形紙で構成し、それらの一部を互いに重な合わせるようにしたり、前記離形紙に、離形紙の除去方法・手順または、前記光学シートを他画像への添付方法・手順、または、それらの位置を合わせるための印を印刷したりすることもできる。
【００１８】
本発明において、画像層や遮光層，反射層は、透明シート１とは別のシートや板に設けておき、そのシートや板をレンズが形成された透明シートの第２面に隣接させて設置したり、またそれらを貼付した形態としても良いことは言うまでもない。
【発明の効果】
【００１９】
本発明によれば、遮光層を設け、さらに、この遮光層の周縁は画像層の周縁よりも僅かに外側に位置させることにより、レンズを透過した光が効果的には遮光層で遮られ、かつ、画像層からはみ出した遮光層部分の光反射・光吸収効果により、一層効率的に画像層と光学シートの背面像との弁別性を高めることができる。このことにより、画像と光学シートの背面にある像との混濁が防止でき、明るく、高コントラストの良好な画像が得られる。さらに、光学シートと背面の像との距離が離れている場合では、より著しい効果を得ることができる。
【発明を実施するための最良の形態】
【００２０】
以下、本発明の実施例を添付図面を参照して説明する。
【実施例１】
【００２１】
図５は、本発明の第１の実施例を示すものである。
【００２２】
本発明の第１の実施例の光学シート１０は、透明シート１の第１面２に、多数の凸条レンズ４ａをほぼ等しいピッチ１２（Ｐ）で配置して構成されたレンズ群４が配置され、前記透明シート１の第２面３には、前記レンズ群４のピッチ１２（Ｐ）に対応して設けられた、画像層５が、所定の間隔６を空けて設けられており、上記画像層５の背面（すなわちシートの反対面）に遮光層１７が形成してある。前記レンズ群４は、円柱形状の帯状のレンズが多数平行に配置せられたいわゆるレンチキュラーレンズである。
【００２３】
具体的には、前記透明シート１は、レンズ群４を含めた厚さ１５（ｄ）が約５００μｍのポリエステルからなる透明シート（屈折率ｎ＝１．５５）を用い、前記レンズ群４は、レンズのピッチ１２（Ｐ）を約３４０μｍ、レンズの半径（ｒ）が約１８０μｍとしてある。
前記画像層５は、図５に示すように、レンズ同士の境界部に、画像層５を、画像層の幅１６（Ｌｐ）＝１２０μｍとなるように(画像層の間隔６の幅（Ｌｏ＝２２０μｍとなるように）)設けた。さらに、遮光層１７の幅５０（Ｌｗ）は、１６０μｍとした（Ｌｗ／Ｌｐ＝１．３３）。
上記において、図６の右側に示すように画像層５、遮光層１７共に帯状としてあるが、図６左側に示すように図柄が印刷された部分を画像層５とし遮光層１７も画像層５に対応した範囲に設けたり、図６の中央に示すように図柄が印刷された部分を画像層５とし、遮光層は帯状とすることもできる。
この遮光層１７は、通常用いられているＴｉＯ２を顔料主成分とした白色インクを通常の方法により、画像部５の裏面に通常の印刷法により設けた。この白色インク部は、拡散反射特性があり、遮光性を有している。
【００２４】
本実施例においては、画像層の背面に遮光層を設け、この遮光層の周縁を画像層の周縁の僅かに（２０μｍ）外側に位置させたことにより、レンズを透過した光が遮光層で効率的に遮られるため、画像層５の透過率Ｔｒが低い場合でも、画像と光学シートの背面にある像１１との混濁が防止でき、明るく、高コントラストの良好な画像が得られた。この効果は、光学シート１０に隣接して、背面の像１１がある場合よりも、光学シートと背面の像１１との間に例えば数ミリ以上の距離がある場合に、より、本発明の効果は著しい。これは、画像層５の間隔部６を透過した光が、背面の像１１部で反射し、画像層５部や遮光層１７部に背面から入射する現象が大きくなるが、本発明では、この現象の防止効果が大きいためである。
【００２５】
この遮光層は、上記の実施例にとらわれるものではなく、光拡散層だけでなく、鏡面反射層や、再帰反射層、光吸収層、あるいはそれらの複合特性を有する層でも良いことは言うまでもない。
【００２６】
なお、画像５として、異なる複数の絵柄を分割して設けた場合は、複数種の絵柄が視認でき、また、単一の絵柄を視差に合わせて複数に分割して設けた場合は三次元画像が視認できることは言うまでもない。
【実施例２】
【００２７】
図７に、本発明の第２の実施例の光学シートの構造を示す。
【００２８】
本発明の第２の実施例の光学シート１０は、図７に示すように、透明シート１の第１面２に、多数の凸条レンズ４ａを等しいピッチ１２（Ｐ）で配置して構成されたレンズ群４が配置されており、そのレンズ４ａの頂部に平面部７を有している。そして、前記透明シート１の第２面３には、前記レンズ４ａのピッチＰに対応して設けられた画像層５が、所定の間隔６を空けて設けられ、さらに、上記画像層５の背面に遮光層１７を有している。
【００２９】
具体的には、上記レンズ４ａのピッチ１２（Ｐ）が約３４０μｍ、レンズ４ａの半径（ｒ）が約１８０μｍ、平坦面７の幅１３（Ｌｆ）＝１００μｍ、レンズ群４を含む厚さ１５（ｄ）＝約５００μｍのポリエステルからなる透明シート（屈折率ｎ＝１．５５）を用い、図７に示すように、レンズ同士の境界部に、所定の内容を表示する画像層５を画像層の幅１６（Ｌｐ）＝２００μｍとなるように、かつ、画像層の間隔６の幅（Ｌｏ）＝１４０μｍの間隔６を空けて印刷した。この際、前記レンズの平面部７に垂直に入射した光が到達する前記透明シートの第２面部の境界８から前記画像層の境界９までの距離１４（Ｚ）は２０μｍとなる。遮光層１７の幅５０（Ｌｗ）は２２０μｍとした（Ｌｗ／Ｌｐ＝１．１）。
【００３０】
上記遮光層１７は、通常用いられているＴｉＯ２を顔料主成分とした白色インクを通常の方法により、画像部５の裏面に通常の印刷法により設けた。この白色インク部は、拡散反射特性があり、遮光性を有している。
【００３１】
本実施例においては、画像層の背面に遮光層を設け、この遮光層の周縁を画像層の周縁の僅かに外側に（１０μｍ）位置させたことにより、レンズを透過した光が遮光層で効率的に遮られるため、画像層５の透過率Ｔｒが低い場合でも、画像と光学シートの背面にある像１１との混濁が防止でき、良好な画像が得られた。
【００３２】
上記のように、本発明では、前記実施例１（図５）、実施例２（図７）共に、遮光層１７は画像層５より大きい面積とし、遮光層１７の外縁は画像層５の外縁の外側に位置させてある。
【００３３】
このような構造の場合、遮光層１７として、光反射特性を有する材料を用いた場合、特に拡散反射特性を有する材料（例えば、ＴｉＯ２を含有する白色インクなど）を用いた場合、光学シ−ト１０に入射した光が、遮光層１７が画像層５からはみ出した部分により反射し、それが画像層５に入射することにより、光利用効率を高めることができ、画像の彩度・コンントラストを高くすることができる。このため、例えば、画像層の幅１６＝１２０μｍの場合に、遮光層１７の幅＝１２０μｍではなく、遮光層１７の幅＝１６０μｍの方が、画像の彩度・コンントラストが高くみえ、実用上非常に有益な光学シートが得られることが分かった。
また、遮光層１７として、光吸収特性を有する材料、例えばカーボンブラックを含有する樹脂材料を用いた場合には、画像層の間隔６に到達する画像層５面での乱射光を効率良く吸収することができ、結果として、画像の彩度・コンントラストを高くすることができる。そして、光吸収性素材を使用した場合は遮光層の画像層からの突出量が小さくとも画像の視認性は高い。なお、光吸収特性を有する材料としては、上記のカーボンブラックのほか、アゾ系顔料、多環式系顔料、フタロシアニン系顔料など各種の顔料を混合したものを含有する各種材料を用いることができる。
【実施例３】
【００３４】
図８に、本発明の第３の実施例の光学シートの構造を示す。
【００３５】
本発明の第３の実施例の光学シート１０は、図８に示すように、透明シート１の第１面２に、凸条レンズ４ａが等しいピッチ１２（Ｐ）で配置されたレンズ群４が配置されており、そのレンズの頂部に平面部７を有している。そして、前記透明シート１の第２面３には、前記レンズ４ａのピッチＰに対応して設けられた、所定の内容を有する画像層５が、所定の間隔６を空けて設けられ、さらに、前記画像層５が形成されていない間隔６部分及び画像層５の背面に反射層１８を有している。
【００３６】
上記反射層１８は通常のメタリックインクを用いた印刷法により作製した。この方法により、鏡面反射特性が得られる。
【００３７】
本発明の光学シートのこの構造により、光学シートの前面にある像の反射像を観察することができる。すなわち、例えば、正面から観察した場合は、自分の姿を見ることができる通常の姿見として利用でき、斜め方向から観察した場合は、所定の画像５が観察でき、従来とは全く違う特性を得ることができる。また、容器や建材、床材、各種物品の化粧材として用いることができる。
なお、反射層１８を有する本発明の光学シートのレンズとしては、図８に示すレンズ形状（一部に平面部を有する）とすれば反射層１８に映る画像を歪みなく観察することができるが、前記形状にとらわれることなく、図１に示すような平面部を有しない、いわゆるレンチキュラーレンズシートであっても良いことは言うまでもない。
【００３８】
また、上記の反射層は、別のシートや板に設けておき、そのシートや板をレンズシートの第２面に隣接させて設置したり、またそれらを貼付した形態としても良いことは言うまでもない。また、反射層１８は画像層の間隔６部分にあればよく、画像層５の背面への設置の有無は任意であるが、画像層５の背面に形成すると前記遮光層１７と同様の機能を奏し、画像を明瞭に視認することができる。また図５の実施例と同じ要領で遮光層１７を形成し、遮光層の形成されていない部分に反射層１７を設ける構成や、遮光層１７は図２に示すように画像と同じ範囲に形成し、画像のない部分６に反射層１８を形成する構成も考えられる。
【実施例４】
【００３９】
図９に、本発明の第４の実施例の光学シートの構造を示す。
【００４０】
本発明の第４の実施例の光学シート１０は、図５に示した光学シートの遮光層１７、画像部の間隔部６に粘着層１９を設けたものである。粘着層１９は、ポリオレフィン系の粘着材を通常の印刷方式により設けた。これにより、光学シートの下面に素材（例えば写真）などに簡単に接着でき、画像部と下面の写真像とが観察角度によって切り替わって見える光学シートを簡単に作成することができた。
【００４１】
なお、粘着材は、上記のポリオレフィン系の粘着材の他、天然ゴムラテックスタイプ、合成ゴムラテックスタイプ、合成樹脂エマルジョンタイプ、水溶性樹脂など各種のものを用いることができるのはいうまでもない。また、室温では粘着性を持たず、高温で粘着性を持つ、あるいは、室温ではタック性があり、高温（例えば家庭用のアイロンの温度）で強い粘着性を発揮する粘着材など、各種の特性のものが用途によって選択される。
特に、光学シートの下面に写真などを設置する応用の場合、光学シートの画像内容と下面の写真像との位置合わせの作業を容易に行えるよう、粘着材に再離性を持たせることが、実用上非常に好ましい。
【実施例５】
【００４２】
図１０に、本発明の第５の実施例の光学シートの構造を示す。
【００４３】
本発明の第５の実施例の光学シート１０は、図９に示した構造の光学シートの粘着層１９の裏面に離形紙２０を有している。離形紙２０は、シリコーン系の離形材層を塗布したＰＥＴフィルムからなっている。このように離形紙を有することにより、保管性や作業性に優れた光学シートが提供できる。
【実施例６】
【００４４】
図１１に、本発明の第６の実施例の光学シートの構造を示す。
【００４５】
本発明の第６の実施例の光学シート１０は、図９に示した構造の光学シートの粘着層１９の裏面に複数枚の離形紙２０を有している。これにより、離形紙をはがすことが容易になり、より便利な光学シートを提供できる。
【００４６】
さらに、複数の離形紙の場合、その一部を剥がして、その下にある例えば写真と位置あわせをし、位置が合った後で残りの離形紙を剥がして全面を貼り付けることができるので、より便利な光学シートとすることができる。
【００４７】
さらに、離形紙２０に所定の事項、例えば、複数ある離形紙の一部を剥がす工程、光学シートの裏面に写真などを置き位置合わせをする工程、離形紙の残りを剥がして前面を貼り付ける工程、必要に応じてアイロンなどで裏面から熱圧着する工程など、光学シートの使用方法に関する事項を記載した層を、印刷法などにより設けることができ、非常に有用な光学シートを提供できる。
【使用例１】
【００４８】
図１２に、本発明の光学シートをカードとして使用する例の構造ならびに使用方法の一例を示す。
【００４９】
本発明のカードは、光学シート１０として、透明シート１の第１面２に、ほぼ等しいピッチ１２（Ｐ）でレンズ４ａを配置したレンズ群４が配置され、前記透明シート１の第２面３には、前記レンズ群４のピッチ１２（Ｐ）に対応して設けられた、所定の内容を有する画像層５が、所定の間隔６を空けて設けられており、さらに、上記画像層５の背面にＴｉＯ２を顔料主成分とした白色インクによる遮光層１７を有し、それらの裏面に、粘着層１９を有している。（図１２では、離形紙２０を剥がした状態で図示してある・）
【００５０】
前記透明シート１は、ポリエステルからなるシートであり、レンズのピッチ１２（Ｐ）＝３３８μｍ、レンズの半径（ｒ）が約１８０μｍ、厚さ１５（ｄ）＝約５００μｍのものを用いた。そして、画像層５の幅（Ｌｐ）＝１２０μｍ、画像層の間隔６の幅（Ｌｏ）＝２１８μｍである。さらに、遮光層１７の幅は、１４８μｍである。大きさは通常のトランプサイズとしてある。
【００５１】
本実施例のカードでは、画像層５の画像内容としては、テレビ番組に出演する「ヒーロー」の画像を２種類用意し、通常の手法により、レンズシートのピッチに合わせてそれら２種の画像（画像Ａ、画像Ｂ）を分解した画像を用いた。
【００５２】
一方、一般の写真手法により撮影した人物像２３が写った写真シート２４を用意し、その表面に、前記光学シート１０を前記粘着層１９により貼付する。この際、上記写真画像の人物の顔と上記ヒーロー画像の人物の顔のサイズがほぼ同じようにしておいた。それらの顔の部分がほぼ一致する位置になるように位置あわせをし、離形紙を剥がし、光学シート１０と写真シート２４を貼り合わせた。これにより、正面からは、写真シートの像が見え、斜め方向（例えば３０度の角度）で左方向から視認すると画像Ａ、右方向から視認すると画像Ｂが見え、写真の人物の姿が変身したごとく観察され、従来にない多様性のあるカードを得ることができる。
【００５３】
なお、レンズのピッチ（Ｐ）や上記画像層５の幅１６（Ｌｐ）を変化させることにより、光学シートの下に設置した像２２と画像層５とが切り替わる視野角が制御できる。また、切り替わりが穏やかに変化し、ある視野角では両方の画像が見え、「姿が徐々に変身する」がごとくに見えるようにすることもできるし、逆に、切り替わりが急激に起こるようにすることもできる。
さらに、透明シート１の第２の面３の画像層５以外の部分に遮光性を有する層（黒色、白色、灰色）を設けることで、画像の切り替わりの変化を制御することもできる。
【００５４】
また、本発明のカードとして、上記の実施例の他に、図７に示したような、レンズの一部が平面であるレンズシートの構造のものも使用することができることはいうまでもない。この場合、正面から見たときに、光学シートの下に設置した、例えば人物像のような画像がより鮮明に観察でき、より有利である。
【００５５】
上記カードとしての使用例として示した光学シート１０の第２面に写真その他の画像又は文字を表示したシートを貼付する構成は、ポスターなどカード以外にも採用することができる。
【００５６】
その一使用例の構成を図１３に示す。本実施例は、本発明の光学シートを用いた郵便カードの例であり、レンズを有する透明シート１の第２面３の上に画像層５と反射層１７を有しており、その上に粘着層１９を有している。さらに、その上に、情報シート３８が、粘着層１９により貼り付けられている。そして、情報シート３８の第１の面３９には、所定の情報４１が記載されている。図１３では、「Ｍｅｒｒｙ  Ｃｈｒｉｓｔｍａｓ」、「○○ｃｏｍｐａｎｙ」、「ａｄｄｒｅｓｓ○○○○○○○○」が記載している例を示している。その情報４１は、例えば、レンズピッチに適合するように分解されて、レンズを介して観察した際に三次元画像情報が視認できるように設計され、印刷されている。また、画像層５は、例えば、情報４１とは別の画像として例えば風景の絵柄となっている。また、情報シート３８の第２面４０には、この郵便カードのあて先などを記入するようになっている。このような構成のカードは、レンズを介して正面から見ると、情報４１の三次元画像情報が見え、また、斜め方向から観察すると画像５の風景が視認できる。さらに、この郵便カードは、郵便カードとして郵送され受け取った後、情報シート３８を剥がし、任意の絵柄のシート（例えば人物写真など）を貼り付けることにより、正面から観察するとその任意の人物写真画像を視認でき、また、斜め方向から観察すると画像５を視認でき、郵便カードとして使用した後も、別の使用ができることから、実用上非常に有益である。
【使用例２】
【００５７】
図１４に、本発明の光学シートを写真ケースなどのホルダーに装着した使用例の構造ならびに使用方法の一例を示す。
【００５８】
本発明の写真ケース３６は、例えば、図５又は図７で説明した構造の光学シート１０を用い、それと、背面のシート２８として例えば写真プリントシートを用い、それら２枚を重ねて挿入し、挟持できるホルダー３７を有している。また、このホルダー３７は、例えば２枚の板からなり、光学シートと背面のシートとを挟み、それらが、互いにずれない程度の圧力で押さえつける構造となっている。
また、画像５の画像内容として、２種類の画像、例えば、２種の風景や２種のデザイン画を用いた。そして、光学シートの背面には人物像などの写真を設置した。
【００５９】
このような構造の写真ケースにより、正面から観察すると、写真の人物像が視認され、また、斜め方向から観察すると画像層５の画像が簡単に視認できた。また、上記の挿入・挟持部３７が光学シートと背面のシートとを押さえつけているため、これら２枚のシートは互いにずれることがなく良好な画像を永続して保持することができた。そして、光学シート１０と背面のシート２８とは接着されていないので、背面のシート２８を自由に交換することができる。
【００６０】
上記に写真ケースとして示した、光学シート１０と画像又は文字などを表したシートとを２枚重ねてケースに装着する構成は、写真ケースに限らず、ポスターの展示ケースやＰＯＰの展示ケースなどに広く用いることができる。
【使用例３】
【００６１】
図１５に、本発明の光学シートを化粧シートとして使用する使用例の構造ならびに使用方法の一例を示す。
【００６２】
本使用例の光学シート１０は、透明シート１の第１面２に、等しいピッチ１２（Ｐ）で複数のレンズ４ａを配置したレンズ群４が配置されており、第２面３に所定の間隔６で画像５を表示し、画像部分に遮光層１７が形成してあり、更に粘着層１９が形成してある。前記レンズの頂部に平面部７を有している。
具体的には、ポリプロピレンからなる透明シートであり、レンズのピッチ１２（Ｐ）＝３３８μｍ、レンズの半径（ｒ）＝約１８０μｍ、平坦部の幅（Ｌｆ）＝１００μｍ、厚さ（ｄ）＝約５００μｍである。そして、画像層の幅（Ｌｐ）＝２００μｍ、平面部７に垂直に入射した光が到達する前記透明シートの第２面部の境界８から前記画像層の境界９までの距離（Ｚ）＝２０μｍ、画像層の間隔６の幅（Ｌｏ）＝１１８μｍとしてある。また、遮光層１７の幅は、２２０μｍである。なお、図１１においては、離形紙を剥がした状態の構造図となっている。
【００６３】
本使用例の光学シート１０では、画像層５の画像内容としては、飲料の外形の像を２種類（飲料画像Ａと飲料画像Ｂ）用意し、通常の手法により、レンズシートのピッチに合わせてそれら２種の画像（画像Ａ、画像Ｂ）を分解した画像を用いた。
【００６４】
一方、例えば、上記飲料を運搬する車両のボディー面２５に印刷されているロゴマーク２６と位置をあわせて、離形紙を剥がし、車両のボディーに化粧シート貼付した。これにより、正面からは、ロゴマークの像が見え、斜め方向（例えば３０度の角度）では、左方向から視認すると飲料画像Ａ、右方向から視認すると飲料画像Ｂが見え、従来にない多様性のある化粧シートを得ることができた。
【００６５】
なお、この使用例の光学シート１０を例えば上記のような移動体に貼付することにより、観察者が移動しなくても多様な画像を視認することができるので、より画像の変化の効果が高められる。また、光学シートの複数の画像として、連続した動きのいくつかの画像を用いると、移動体の移動によって、一連の動きが視認でき、非常に特徴のある表示物を得ることができる。
【使用例４】
【００６６】
図１６に、本発明の光学シートを容器として使用する使用例の構造ならびに使用方法の一例を示す。
【００６７】
本使用例の容器は、図５又は図７に示した構造の光学シート１０を用い、商品の容器（ケース）を作成した一例である。すなわち、ポリプロピレンの透明シートの第１の面上に、等しいピッチで配置された複数のレンズ群があり、そのレンズの頂部に平面部を有している。レンズのピッチ（Ｐ）＝３３８μｍ、レンズの半径（ｒ）＝約１８０μｍ、平坦部の幅（Ｌｆ）＝１００μｍ、厚さ（ｄ）＝約５００μｍである。そして、画像層の幅（Ｌｐ）＝２００μｍ、平面部に垂直に入射した光が到達する前記透明シートの第２面部の境界から前記画像層の境界までの距離（Ｚ）＝２０μｍであり、画像層の間隔の幅（Ｌｏ）＝１１８μｍである。また、遮光層１７の幅は、２２０μｍである。
【００６８】
本使用例の容器では、容器の中に入れる物体（この例では瓶の例を図示している）に類似した画像２７を複数種（例えば色が異なる、大きさが異なる、画像が回転するなど）用意し、それを配置した光学シートを所定の形状に裁断し、所定の部分を熱圧着法により溶着し、容器を作製した。
【００６９】
このような構造の容器によれば、外から容器を視認した際に、中の瓶の形状が分かる一方で、視認方向を変えることにより、複数の画像２７が視認できるので、容器の中に入っている瓶が増えて見えたり、瓶の中身が変化して見えたり、非常に多様性のある容器が提供できる。
さらに、この容器から瓶を取り出し、別途用意した照明（例えばろうそくやＬＥＤ式の光源など）を容器の中に格納することにより、本発明の容器を照明として利用した場合に、デザインの多様性を非常に高くすることができる。
【使用例５】
【００７０】
図１７に、本発明の光学シートの文具としての使用例の構造を示す。
【００７１】
本使用例の文具は、図５又は図７に示した構造の光学シート１０を用い、文具として、紙などのシートのホルダ−２９を作製した一例である。すなわち、ポリプロピレンの透明シートの第１の面上に、等しいピッチで配置された複数のレンズ群があり、そのレンズの頂部に平面部を有している。レンズのピッチ（Ｐ）＝３３８μｍ、レンズの半径（ｒ）＝約１８０μｍ、平坦部の幅（Ｌｆ）＝１００μｍ、厚さ（ｄ）＝約５００μｍである。そして、画像層の幅（Ｌｐ）＝２００μｍ、平面部に垂直に入射した光が到達する前記透明シートの第２面部の境界から前記画像層の境界までの距離（Ｚ）＝２０μｍであり、画像層の間隔の幅（Ｌｏ）＝１１８μｍである。また、遮光層１７の幅は、２２０μｍである。
【００７２】
本使用例のシートフォルダでは、この中に入れるシートと組み合わせたデザインの内容の画像層を作製することにより、非常に多様性のあるシートフォルダが得られる。
【００７３】
なお、図１７に示すように、本使用例のシートフォルダにおいて、その綴じ込み位置にはリング部分３０が設けられている。このリング部分は、そのシートの下部に通常設けられている第１の熱圧着部３１の他に、その綴じ込み位置の縦方向に第２の熱圧着部を設け、シートをリング状にし、適切な位置でシートを切りはなすことによって容易に作製でき、また、そのリングの位置に所定事項を記入できる欄を設けたり、あるいは、リング部の居大きさや位置を変えることにより、シートフォルダの分別が便利となるため、本発明の文具として、より利便性を高めることができる。
【使用例６】
【００７４】
図１８に、本発明の光学シートを建材として使用する使用例の構造ならびに使用方法の一例を示す。
【００７５】
本使用例の建材は、図５、図７、又は図８に示した構造の光学シート１０を用い、光学シート１０と透明樹脂板２９とが粘着材１９により接着して化粧建材とする。この化粧建材は、建物の外壁又は内壁の一部、屋根材、建具などとして使用する。例えば、ビルの一階の店舗の壁面の一部とし、光学シートの画像層の画像内容としては、田園風景と湖の風景の２種の画像を分解して、レンズのピッチに相当する部分に印刷法により設ける。
【００７６】
本使用例においては、例えば、正面から見たときは店舗内の様子が見え、また、店舗を斜め方向から見ると田園風景の像が観察されたり、あるいは湖の風景の像が観察されたりすることができ、建物あるいは、店舗の風景を非常に多様なデザインにすることができ、非常に有用な建材を得ることができた。また図８の構造の光学シートを使用すると、鏡が得られる。
【００７７】
なお、従来例として、例えば、光学シート１０の画像層５の背面の遮光層１７を設けない場合、あるいは、遮光層幅が画像層幅と同一以下の場合は、画像層の画像内容が透けて見えたり、にじんで見えたりし、像の切り変わりが明確でなく、実用的ではなかった。
【００７８】
本発明の光学シートを建材として使用する場合、本発明の光学シートをガラス板に貼付する構成、本発明の光学シートの両面を（透明）樹脂板やガラス板などで挟む構成でも良い。この構成では、本発明で発揮できる光学的特徴を、温度湿度の変化による結露を防止するため、あるいは防音のための二重ガラス構成と同時に達成できるため非常に有益な建材を得ることができる。この場合、二重の板の間に乾燥ガスなどを封入することにより、より安定した品質を得ることができる。また、本発明の光学シートあるいはそれと合わせて使用される樹脂板またはガラス板に、防汚機能、紫外線吸収・反射機能、赤外線吸収・反射機能、あるいは、透明半導体層を合体させることも、より機能性を高める。
また、上記のように本発明の光学シートを樹脂板またはガラス板に貼付、あるいはそれらで挟持する構成の場合は、それら樹脂板やガラス板を導光板としての機能も持たせることができ、全体として照明装置の機能も持ち合わせた建材を得ることができる。
【００７９】
なお、本発明の建材の上記の例は、扉材、窓材・床材・天井材など各種の用途に使用できる他、例えば、屋内のパーティションなどに用いることもできる。さらに、家具の一部、例えば棚材、机の天板などに用いることができることは言うまでもない。
【使用例７】
【００８０】
図１９に、本発明の光学シートの標識としての使用例の構造を示す。
【００８１】
本使用例の標識は、本発明の光学シート１０を透明樹脂板２９に粘着材１９により接着して構成してある。このとき、透明樹脂板２９としては、アクリル系樹脂板を用い、その厚さは２．２ｃｍとした。そして、本発明の標識の例では、光学シート１０の画像層の画像内容として、画像Ａ（３４）と画像Ｂ（３５）をレンズシートのピッチに適合させて分解した画像を設けることにより、画像が三次元画像で観察されるようにした。この場合は、画像Ａに対して画像Ｂが飛び出して見えるように設計することが好ましい。
【００８２】
本発明の構造の標識により、標識を見た際に、画像が飛び出して見え、非常に印象に残る。また、視認角度を少し変えると、レンズピッチに応じた副ローブ像が観察され  観察像が動いて見え、さらに印象に残る標識を提供することができる。
本発明の標識では、光学シートの裏面に多様なデザインの像として、例えば、文字や矢印など図柄を必要に応じて変更して設置することができる。したがって、本発明によれば、設置場所に応じた内容の標識を、低コストでありながら非常に認識率の高い標識を提供できる。
なお、本発明の標識は屋内の物にこだわらす、屋外用にも、例えば、交通標識などにも利用できるし、また店舗などの案内看板にも利用できる。
【００８３】
なお、従来技術の標識や看板の一例では、例えば、光学シート１０の画像層５の背面の遮光層１７を設けない場合、あるいは、遮光層幅が画像層幅と同一以下の場合は、画像層の画像内容が透けて見たり、にじんで見えたりし、光学シートの画像層の画像と光学シート背面の像との切り変わりが明確でなく、視認時に印象に残らず、実用的ではなかった。
【００８４】
上記では、レンズシートの材料としてＰＥＴの場合の実施例について述べたが、ＰＰ、ＰＣ、ＰＥＳなど各種の材料を選択できる。さらに、本発明の光学シートに用いる材料は、光透過性があればよく、これら有機樹脂だけでなく、例えばガラス材料を用いても良いことは言うまでもない。
【００８５】
上記では帯状のレンズが並んだ１次元のレンズについての実施例の説明であったが、図２０のようにレンズを２次元に配置したフライレンズの場合にも本発明が適用できることは言うまでもない。図２０における符号は上記各実施例における符号と同じ意味を持つものである。
【００８６】
さらに、上記では、画像層５として、レンズの境界部に対して左右対称に配置せられた場合について述べたが、必ずしもこれにとらわれず、非対称でも良いことは言うまでもない。すなわち、左右対称になるように画像部５を作製すれば、視認方向を左右に変えた場合、左右対称の角度で視認される像が変化するが、左右非対称になるように作製すれば、左右非対称の角度で視認される像が変化することになる。さらに、本特性は、上記のように、二次元のレンズ（フライアイレンズ）の場合は、左右・上下対称でも良いし、左右または上下が非対称でもかまわないことは言うまでもない。
【００８７】
さらに、画像層５は、レンズの境界部から半ピッチずらしてもよい。この場合は、正面から観察すると画像層の像が視認され、斜め方向から観察すると光学シートの後ろの像が視認され、また別の多様性をもたらすことができる。また、画像層５は、これらの中間状態の位置に設置しても良い。
【００８８】
なお、本発明において、上記の説明では、画像層５や遮光層１７は、シートの第２面に印刷などの手法を用いて直接設けた例を記述したが、別のシートに別途画像を作成し、それとレンズシートを近接させて設置したり、あるいはそれらを貼付しても良いことは言うまでもない。
【００８９】
さらに、本発明の光学シートは熱プレス法、押出法、射出法、カレンダー成形法、などのほか、ＵＶ樹脂を用いる方法など各種の方法を用いることができる。
【００９０】
以下、レンズピッチ１２（Ｐ）と画像層の幅１６（Ｌｐ）の関係が、実際に視認した際の画像品質に与える関係について述べる。
【００９１】
発明者らは以下の実験を行った。すなわち、図１に示す光学シートにおいて、レンズのピッチ１２（Ｐ）＝３３８μｍ、レンズの半径（ｒ）＝１８０μｍ、厚さ１５（ｄ）＝約５００μｍのポリエステルからなる透明シート（屈折率ｎ＝１．５５）を用い、レンズ同士の境界部に、画素層５を、画像層の幅１６（Ｌｐ）を変えて作製した。その際、画像層の間隔６の幅２１はＰ−Ｌｐとなる。そして、光学シートに対しての視野角（光学シートの法線上が０°）を変えて、画像層５が視認できる視野角θを求めた。なお、この際、遮光層１７の幅５０（Ｌｗ）と画像層５の幅１６（Ｌｐ）比、すなわち、Ｌｗ／Ｌｐは、１．１で一定とした。
【００９２】
図２１に、Ｌｐ／Ｐと視野角θの関係を示す。図から分かるように、画像幅が大きくなると、画像が見える視野角が小さくなり、光学シートの正面から少し傾けて視認するだけで画像が見えることが分かる。逆に、画像層幅を小さくすると、かなり斜めの方向から光学シートを見なければ画像層の画像が見えないことが分かる。
【００９３】
一方、図２２に、Ｌｐ／Ｐと相対画質の関係を示す。相対画質とは、画像層の間隙がない場合（Ｌｐ＝ｐ）の画質を１として、それに対して、画像する鮮明さを相対評価したものである。すなわち、画像層幅が小さくなるほど画像層の彩度は小さくなるが、それを目視により検定したものである。図１７からもわかるとおり、画像層幅が小さくなると相対画質が劣化する。
【００９４】
本発明の光学シートを設計する場合、上記の特性を考慮に入れることが肝要である。すなわち、光学シートのサイズ・面積により、視認者からの視野角は光学シートの面内で異なってくるため、画面サイズと要求画質とを考慮にいれ、上記特性から設計を行うことにより、特に性能の良い光学シートを提供できる。
【００９５】
さらに、図７に示したようなレンズの一部に平面部を有する構造の光学シートにおいて、ピッチ１２（Ｐ）と画像層の幅の関係が、実際に視認した際の画像品質に与える関係について述べる。ただし、ここでは、平面部７に垂直に入射した光が到達する前記透明シートの第２面部の境界８から前記画像層の境界９までの距離１４（Ｚ）を変えて、ＺとＰの関係をパラメータにした場合を述べる。
【００９６】
発明者らは、以下の実験を行った。すなわち、上記レンズのピッチ１２（Ｐ）が約３４０μｍ、レンズの半径（ｒ）が約１８０μｍ、平坦部の幅１３（Ｌｆ）＝１００μｍ、厚さ１５（ｄ）＝約５００μｍのポリプロピレンらなる透明シート（屈折率ｎ＝１．４９）を用い、図３に示すように、レンズ同士の境界部に、所定の内容を表示する画像層５を画像層の幅１６（Ｌｐ）を変えて印刷した。ここで、画像層の幅１６を変えるということは、平面部７に垂直に入射した光が到達する前記透明シートの第２面部の境界８から前記画像層の境界９までの距離１４（Ｚ）を変えることと等価であるため、以下では、Ｚ／Ｐをパラメータに用いる。なお、この場合も、遮光層１７の幅５０（Ｌｗ）と画像層５の幅１６（Ｌｐ）比、すなわち、Ｌｗ／Ｌｐは、１．１で一定とした。
【００９７】
図２３に、Ｚ／Ｐと視野角θの関係を示す。図から分かるように、平面部７に垂直に入射した光が到達する前記透明シートの第２面部の境界８から前記画像層の境界９までの距離１４（Ｚ）が小さいと、視野角は小さい。一方、Ｚ／Ｐが０．３より大きくなると急激に視野角が大きくなることが分かる。
【００９８】
一方、図２４に、Ｚ／Ｐと相対画質の関係を示す。相対画質とは、画像層の間隙がない場合（Ｚ＝０）の画質を１として、それに対して、画像する鮮明さを相対評価したものである。すなわち、画像層幅が小さくなる（Ｚが大きくなる）ほど、画像層の彩度は小さくなるが、それを目視により検定したものである。図２４からもわかるとおり、画像層幅が小さくなる（Ｚ／Ｐが大きくなる）と、相対画質が劣化する。この相対画質の劣化現象は、Ｚ／Ｐが０．１５より大きくなると急激におきることが分かる。
【００９９】
本発明の光学シートを設計する場合、上記の特性を考慮に入れることが肝要である。すなわち、光学シートのサイズ・面積により、視認者からの視野角は光学シートの面内で異なってくるため、画面サイズと要求画質とを考慮にいれ、上記特性から設計を行うことにより、特に性能の良い光学シートを提供できる。
【産業上の利用可能性】
【０１００】
上記のように、本発明の光学シートは、画像層の背面に遮光層を形成し、この遮光層の周縁を画像層の周縁の僅かに外側に位置させたので、画像層への入射光が背面に透過することがなく、また、効率的に入射光を利用することができるため、その結果、画像層に表された画像が光学シート背面側にある画像や物体と混濁することがなく、明るく、高コントラストで、画像を明瞭に観察することができる。そして、そのことにより極めて広範囲な物品に適用することができるものであって、産業上利用可能性を有するものである。
【図面の簡単な説明】
【０１０１】
【図１ａ】従来例の光学シートの断面模式図である。
【図１ｂ】上部を平坦とした従来例の断面模式図である。
【図２】遮光層を設けた従来例の断面模式図である。
【図３】Ｌｗ／Ｌｐと画像の相対コントラストの関係を示すグラフである。
【図４】（Ｌｗ−Ｌｐ）／（Ｐ-Ｌｗ）と背面の像の相対コントラストの関係を示すグラフである。
【図５】本発明の第１の実施例の光学シートの断面模式図である。
【図６】本発明の第１の実施例の光学シートの平面模式図である。
【図７】本発明の第２の実施例の光学シートの断面模式図である。
【図８】本発明の第３の実施例の光学シートの断面模式図である。
【図９】本発明の第４の実施例の光学シートの断面模式図である。
【図１０】本発明の第５の実施例の光学シートの断面模式図である。
【図１１】本発明の第６の実施例の光学シートの断面模式図である。
【図１２】本発明のカードとしての使用例を示す図である。
【図１３】本発明の郵便カードとしての使用例を示す図である。
【図１４】本発明の写真ケースとしての使用例を示す図である。
【図１５】本発明の化粧シートとしての使用例を示す図である。
【図１６】本発明の容器としての使用例を示す図である。
【図１７】本発明の文具（シートフォルダ）としての使用例を示す図である。
【図１８】本発明の建材としての使用例を示す図である。
【図１９】本発明の標識としての使用例を示す図である。
【図２０】本発明のフライアイレンズを使用した実施例を示す図である。
【図２１】本発明の光学シートの一実施例におけるＬｐ／Ｐと視認特性の関係を示すグラフである。
【図２２】本発明の光学シートの一実施例におけるＬｐ／Ｐと視認特性の関係を示すグラフである。
【図２３】本発明の光学シートの一実施例におけるＺ／Ｐと視認特性の関係を示すグラフである。
【図２４】本発明の光学シートの一実施例におけるＺ／Ｐと視認特性の関係を示すグラフである。
【符号の説明】
【０１０２】
１    透明シ−ト
２    透明シートの第１の面
３    透明シートの第２の面
４    レンズ
５    画像層
６    画像層の間隔部
７    平坦部
８    平坦部に垂直に入射した光が透明シートの第２面に到達する境界
９    画像層の境界
１０    光学シート
１１    像
１２    ピッチ
１３    平坦部の幅
１４    平坦部に垂直に入射した光が透明シートの第２面に到達する境界と画像層の境界との距離
１５    光学シートの厚み
１６    画像層の幅
１７    画像層の背面の遮光層
１８    画像層間の間隔部の光反射層
１９    粘着層
２０    離形紙
２１    離形紙
２２    画像層の間隔部の幅
２３    人物像
２４    写真シート
２５    ロゴマーク
２７    画像
２８    光学シートの背面の物体（像）
２９    文具（シートフォルダ）
３０    リング状部分
３１    第１の熱圧着部
３２    第２の熱圧着部
３３    樹脂板
３４    画像Ａ
３５    画像Ｂ
３６    写真ケース
３７    挿入・挟持部
３８    情報カード
３９    情報カードの第１面
４０    情報シートの第２面
４１    情報
５０    遮光層の幅
【図１ａ】
2007155947.tif 000003
【図１ｂ】
2007155947.tif 000004
【図２】
2007155947.tif 000005
【図３】
2007155947.tif 000006
【図４】
2007155947.tif 000007
【図５】
2007155947.tif 000008
【図６】
2007155947.tif 000009
【図７】
2007155947.tif 000010
【図８】
2007155947.tif 000011
【図９】
2007155947.tif 000012
【図１０】
2007155947.tif 000013
【図１１】
2007155947.tif 000014
【図１２】
2007155947.tif 000015
【図１３】
2007155947.tif 000016
【図１４】
2007155947.tif 000017
【図１５】
2007155947.tif 000018
【図１６】
2007155947.tif 000019
【図１７】
2007155947.tif 000020
【図１８】
2007155947.tif 000021
【図１９】
2007155947.tif 000022
【図２０】
2007155947.tif 000023
【図２１】
2007155947.tif 000024
【図２２】
2007155947.tif 000025
【図２３】
2007155947.tif 000026
【図２４】
2007155947.tif 000027